(57)【要約】【課題】電子記録媒体に記録された、複数のグループに属するそれぞれ撮影時刻情報を備える複数の画像情報を、何ら特別な前処理を行うことなく、しかも、撮影者がどの画像情報がマルチアングルになっているかを認識していなくても、必要に応じて、画像情報のマルチアングル再生表示を行うことのできる画像再生表示装置を得る。【解決手段】電子記録媒体に記録された、複数のグループに属するそれぞれ撮影時刻情報を備える複数の画像情報を時系列順に再生する再生手段と、その再生手段よりの再生画像情報を表示する表示手段と、撮影時間が重複する複数の再生画像情報の各画像を表示手段の同一画面の互いに異なる表示領域に同期して表示させる表示制御手段とを有する画像再生表示装置である。【選択図】　　　　　図３
2004120278.tif 000002
【特許請求の範囲】
【請求項１】
電子記録媒体に記録された、複数のグループに属するそれぞれ撮影時刻情報を備える複数の画像情報を時系列順に再生する再生手段と、
該再生手段よりの再生画像情報を表示する表示手段と、
撮影時間が重複する複数の再生画像情報の各画像を前記表示手段の同一画面の互いに異なる表示領域に同期して表示させる表示制御手段とを有する
ことを特徴とする画像再生表示装置。
【請求項２】
電子記録媒体に記録された、複数のグループに属するそれぞれ撮影時刻情報を備える複数の画像情報を時系列順に再生し、
該再生画像情報を表示手段に表示させ、
撮影時間が重複する複数の再生画像情報の各画像を前記表示手段の同一画面の互いに異なる表示領域に同期して表示させる
ことを特徴とする画像再生表示方法。
【請求項３】
請求項１に記載の画像再生表示装置において、
前記撮影時間が重複する複数の再生画像情報の全部は動画情報である
ことを特徴とする画像再生表示装置。
【請求項４】
請求項２に記載の画像再生表示方法において、前記撮影時間が重複する複数の再生画像情報の全部は動画情報である
ことを特徴とする画像再生表示方法。
【請求項５】
請求項１に記載の画像再生表示装置において、
前記撮影時間が重複する複数の再生画像情報は、動画情報及び静止画情報であると共に、
前記再生手段は、前記静止画情報については、撮影時刻を含む一定時間再生する
ことを特徴とする画像再生表示装置。
【請求項６】
請求項２に記載の画像再生表示方法において、
前記撮影時間が重複する複数の再生画像情報は、動画情報及び静止画情報であると共に、
前記再生手段は、前記静止画情報については、撮影時刻を含む一定時間再生する
ことを特徴とする画像再生表示装置。
【発明の詳細な説明】
【０００１】
【発明の属する技術分野】
本発明は、画像再生表示装置及び再生表示方法に関する。
【０００２】
【従来の技術】
例えば、運動会で、父親と母親とが、それぞれ個別のデジタルカメラで、その子供の様子を、別々に撮影するとき、重複した時刻又は時間において、異なるアングルで、その子供を撮影することが多い。例えば、父親が徒競走のゴールの正面から、子供をズームアップして動画撮影している間に、母親が横からトラックの様子を動画撮影している場合や、母親が子供を動画撮影している間に、父親が子供を静止画撮影している場合等である。
【０００３】
又、複数台のデジタルカメラを、イベント等で使う場合、イベントの性格によっては、実際の撮影が撮影者の故意によらずとも、必然的に同じ時刻に重複して撮影が行われるケースも少なくない。
【０００４】
従来は、撮影された画像を、手間を掛けずに臨場感ある再現表示を行うことができなかったし、同一時刻に重複して撮影したことすら認識していない撮影者は、その同一時刻に重複して撮影した画像を有効に表示することは、勿論できなかった。
【０００５】
特許文献１は、複数の動画像データを同期して、一画面中の別々の表示ウインドウに再生表示する形態を示しているが、この形態では、複数の動画像データの撮影時刻の同一性に基づく表示、即ち、マルチアングル再生表示を行うことはできない。
【０００６】
特許文献２は、マルチアングルの表示形態として、ＤＶＤ−Ｖｉｄｅｏ　のように、事前にマルチアングルデータでオーサリングされたものに対して有効な表示方式を示しているが、この表示方式では、再生データの側で特別な前処理を行わないとマルチアングル再生表示を行えない。
【０００７】
【特許文献１】
特開２００１−３６８６７
【０００８】
【特許文献２】
特開平１１−３４１４４３号公報
【０００９】
【発明が解決しようとする課題】
上述の点に鑑み、本発明は、電子記録媒体に記録された、複数のグループに属するそれぞれ撮影時刻情報を備える複数の画像情報を、何ら特別な前処理を行うことなく、しかも、撮影者がどの画像情報がマルチアングルになっているかを認識していなくても、必要に応じて、画像情報のマルチアングル再生表示を行うことのできる画像再生表示装置及び再生表示方法を提案しようとするものである。
【００１０】
【課題を解決するための手段】
本発明による画像再生表示装置は、電子記録媒体に記録された、複数のグループに属するそれぞれ撮影時刻情報を備える複数の画像情報を時系列順に再生する再生手段と、その再生手段よりの再生画像情報を表示する表示手段と、撮影時間が重複する複数の再生画像情報の各画像を表示手段の同一画面の互いに異なる表示領域に同期して表示させる表示制御手段とを有するものである。
【００１１】
本発明による画像再生表示方法は、電子記録媒体に記録された、複数のグループに属するそれぞれ撮影時刻情報を備える複数の画像情報を時系列順に再生し、その再生画像情報を表示手段に表示させ、撮影時間が重複する複数の再生画像情報の各画像を表示手段の同一画面の互いに異なる表示領域に同期して表示させるようにしたものである。
【００１２】
上述の画像再生表示装置及び画像再生表示方法において、撮影時間が重複する複数の再生画像情報は、全部が動画情報であるか、又は、動画情報及び静止画情報である。但し、静止画情報については、再生手段は、撮影時刻を含む一定時間再生する。
【００１３】
【発明の実施の形態】
以下に、図面を参照して、本発明の実施の形態の画像再生表示装置及び再生表示方法の例を詳細に説明する。
【００１４】
先ず、図４について、画像再生表示装置の構成例を説明する。ＤＣＭ１、ＤＣＭ２は個別のデジタルカメラ（ここでは、２個であるが、３個以上であっても良い）で、それぞれ電子記録媒体、例えば、メモリカードを有しており、それぞれデジタルカメラＤＣＭ１、ＤＣＭ２の撮影に基づく画像情報が記録されている。デジタルカメラＤＣＭ１、ＤＣＭ２は、ハブＨＢを介して、パーソナルコンピュータＰＣに接続されている。又、パーソナルコンピュータＰＣには、例えば、ＬＣＤ（液晶表示装置）からなる画像モニタＭＮが接続されている。
【００１５】
次に、図５について、図４におけるデジタルカメラＤＣＭ１、ＤＣＭ２のメモリカードの記録内容を説明する。パーソナルコンピュータＰＣは、デジタルカメラＤＣＭ１、ＤＣＭ２に装填されているメモリカードを、パーソナルコンピュータＰＣに対する電子記録媒体として扱うが、これらのメモリカードにそれぞれ符号Ｅ、Ｆを付しておく。
【００１６】
メモリカードＥにおけるＤＣＦ（Ｄｅｓｉｇｎ　ｒｕｌｅ　ｆｏｒ　Ｃａｍｅｒａ　Ｆｉｌｅ　ｓｙｓｔｅｍ：　デジタルカメラの統一記録フォーマット）イメージルートディレクトリＤＣＩＭ（ＤｉｇｉｔａｌＣａｍｅｒａ　ＩＭａｇｅｓ）　の直下に同一階層の　ＤＣＦフォルダ（１００−Ｆｕｊｉ）　が形成される。この　ＤＣＦフォルダ（１００−Ｆｕｊｉ）　には、それぞれ共にオーディオ・ビデオ・インターフェース・ムービー・ファイル　（ＡＶＩ）形式のファイル名ＤＳＣＦ０００１．　、ＤＳＣＦ０００２．　、ＤＳＣＦ０００３．　の動画情報Ａ１　、Ａ２　、Ａ３　が含まれている。
【００１７】
メモリカードＦにおける　ＤＣＦイメージルートディレクトリＤＣＩＭの直下に同一階層の　ＤＣＦフォルダ（１００−Ｆｕｊｉ）　が形成される。この　ＤＣＦフォルダ（１００−Ｆｕｊｉ）　には、それぞれ共にオーディオ・ビデオ・インターフェース・ムービー・ファイル（ＡＶＩ）形式のファイル名ＤＳＣＦ０００１．　、ＤＳＣＦ０００２．　の動画情報Ｂ１　及びＢ２　並びに静止画ファイル形式　（ＪＰＧ）のファイル名ＤＳＣＦ０００３．　の静止画情報Ｂ３　が含まれている。
【００１８】
次に、図６について、画像再生表示装置の他の構成例を説明する。ＤＣＭはデジタルカメラを示し、例えば、ＬＣＤからなる画像モニタＭＮを備えている。このデジタルカメラＤＣＭは、電子記録媒体としてのメモリカードＭ１、Ｍ２がそれぞれ挿入される２個のスリットＳＬ１、ＳＬ２を備えている。これらのメモリカードＭ１、Ｍ２には、図示を省略したデジタルカメラによって、図５について説明したのと同様の画像情報が記録されている。即ち、メモリカードＭ１には、動画情報Ａ１　、Ａ２　、Ａ３　が記録されており、メモリカードＭ２には、動画情報Ｂ１　、Ｂ２　及び静止画情報Ｂ３　が記録されている。
【００１９】
次に、図７について、画像再生表示装置の更に他の構成例を説明する。ＰＣは、パーソナルコンピュータで、これにはハードディスクＨＤが内蔵されている。又、このパーソナルコンピュータＰＣには、例えば、ＬＣＤ（液晶表示装置）からなる画像モニタＭＮが接続されている。
【００２０】
次に、図８を参照して、図７におけるハードディスクＨＤのフォルダｍｙｆｏｌｄｅｒの記録内容を説明する。図４のデジタルカメラＤＣＭ１によって撮影されると共に、オーディオ・ビデオ・インターリーブ（Ａｕｄｉｏ　Ｖｉｄｅｏ　Ｉｎｔｅｒｌｅａｖｅ）・ムービー・ファイル　（ＡＶＩ）形式のファイル名ＤＳＣＦ０００１．　、ＤＳＣＦ０００２．　、ＤＳＣＦ０００３．　の動画Ａ１　、Ａ２　、Ａ３　と、オーディオ・ビデオ・インターリーブ（Ａｕｄｉｏ　Ｖｉｄｅｏ　Ｉｎｔｅｒ−ｌｅａｖｅ）　・ムービー・ファイル　（ＡＶＩ）形式のファイル名ＤＳＣＦ０００１．　、ＤＳＣＦ０００２．　の動画情報Ｂ１　及びＢ２　並びに静止画ファイル形式　（ＪＰＧ）のファイル名ＤＳＣＦ０００３．　の静止画情報Ｂ３　が含まれている。
【００２１】
次に、図１のフローチャートを参照して、この実施の形態の画像再生表示装置及び再生表示方法を具体的に説明する。このフローチャートにおける各部の制御は、図４では、パーソナルコンピュータＰＣにより、図６ではデジタルカメラＤＣＭに内蔵されているコンピュータにより、図７では、パーソナルコンピュータＰＣにより行う。先ず、ステップＳ１０では、図５又は図８に示したように、再生対象である画像情報情報のリストを作成する。
【００２２】
ステップＳ１０の次は、ステップＳ１２に移行して、各画像情報の撮影時刻情報を読み取る。図２に、動画情報の動画Ａ１　、Ａ２　、Ａ３　、Ｂ１　、Ｂ２　及び静止画情報の静止画Ｂ３　の具体例及び撮影時刻（時間）情報の具体例を説明する。
【００２３】
動画情報Ａ１　の撮影時間は、１０時００分０５秒から１０時００秒１５秒までの１０秒間である。動画情報Ａ２　の撮影時間は、１０時３０分２０秒から１０時３１分２０秒までの６０秒間である。動画情報Ａ３　の撮影時間は、１１時００分０８秒から１１時００分１８秒までの１０秒間である。動画情報Ｂ１　の撮像時間は、１０時０１分００秒から１０時１０分００秒までの９分間である。動画情報Ｂ２　の撮影時間は、１０時３０分３０秒から１０時３２分３０秒までの１２０秒間である。静止画Ｂ３　の撮影時刻は、１１時００分１０秒である。
【００２４】
ステップＳ１２の次は、ステップＳ１４に移行して、画像情報のリストを撮影開始時刻順にソートする。即ち、画像情報の撮影開始時刻順序は、Ａ１　、Ｂ１　、Ａ２　、Ｂ２　、Ａ３　、Ｂ３　となる。
【００２５】
ステップＳ１４の次は、ステップＳ１６に移行して、再生イベントスケジュールテーブル（図１参照）を作成する。尚、この再生イベントスケジュールテーブルにおいて、表示モード１は、単独画像表示を示し、表示モード２は複数画像同時表示を示す。イベント番号♯０では、動画Ａ１　を１０秒間単独表示する。イベント番号♯１では、動画Ｂ１　を９分間単独表示する。イベント番号♯２では、動画Ａ２　を１０秒間単独表示する。イベント番号♯３では、動画Ａ２　及びＢ２　を５０秒間同期して同時表示する。イベント番号♯４では、動画Ｂ２　を７０秒間単独表示する。イベント番号♯５では、動画Ａ３　を２秒間単独表示する。イベント番号♯６では、動画Ａ３　及び静止画Ｂ３　を４秒間同期して同時表示する。イベント番号♯７では、動画Ａ３　を４秒間単独表示する。
【００２６】
ステップＳ１６の次は、ステップＳ１８に移行して、再生イベントスケジュールを最初から最後まで実行して、終了する。この再生イベントスケジュールの実行を図３を参照して説明する。先ず、動画Ａ１　を１０時００分０５秒から１０秒間単独表示する。次いで、動画Ｂ１　を１０時０１分００秒から９分間単独表示する。次いで、動画Ａ２　を１０時３０分２０秒から１０秒間単独表示する。次いで、動画Ａ２　及びＢ２　を１０時３０分３０秒から５０秒間同期して同時表示する。次いで、動画Ｂ２　を１０時３１分２０秒から７０秒間単独表示する。次いで、動画Ａ３　を１１時００分０８秒から２秒間単独表示する。次いで、動画Ａ３　及び静止画Ｂ３　を１１時００分１０秒から４秒間同期して同時表示する。最後に、動画Ａ３　を１１時００分１４秒から４秒間単独表示する。
【００２７】
【発明の効果】
上述する本発明によれば、電子記録媒体に記録された、複数のグループに属するそれぞれ撮影時刻情報を備える複数の画像情報を時系列順に再生する再生手段と、その再生手段よりの再生画像情報を表示する表示手段と、撮影時間が重複する複数の再生画像情報の各画像を表示手段の同一画面の互いに異なる表示領域に同期して表示させる表示制御手段とを有するので、電子記録媒体に記録された、複数のグループに属するそれぞれ撮影時刻情報を備える複数の画像情報を、何ら特別な前処理を行うことなく、しかも、撮影者がどの画像情報がマルチアングルになっているかを認識していなくても、必要に応じて、画像情報のマルチアングル再生表示を行うことのできる画像再生表示装置を得ることができる。
【００２８】
上述する本発明によれば、電子記録媒体に記録された、複数のグループに属するそれぞれ撮影時刻情報を備える複数の画像情報を時系列順に再生し、その再生画像情報を表示手段に表示させ、撮影時間が重複する複数の再生画像情報の各画像を表示手段の同一画面の互いに異なる表示領域に同期して表示させるようにしたので、電子記録媒体に記録された、複数のグループに属するそれぞれ撮影時刻情報を備える複数の画像情報を、何ら特別な前処理を行うことなく、しかも、撮影者がどの画像情報がマルチアングルになっているかを認識していなくても、必要に応じて、画像情報のマルチアングル再生表示を行うことのできる画像再生表示方法を得ることができる。
【図面の簡単な説明】
【図１】本発明の実施の形態の画像再生表示装置及び再生表示方法の例を示すフローチャートである。
【図２】電子記録媒体に記録された、複数のグループに属するそれぞれ撮影時刻情報を備える複数の画像情報の各画像を示す図である。
【図３】電子記録媒体に記録された、複数のグループに属する、それぞれ撮影時刻情報を備える複数の画像情報の再生表示状態を示す図である。
【図４】本発明の実施の形態の画像情報表示装置の例を示すブロック線図である。
【図５】図４の画像情報表示装置におけるデジタルカメラのメモリカードの記録内容を示す図である。
【図６】本発明の実施の形態の画像情報表示装置の他の例を示すブロック線図である。
【図７】本発明の実施の形態の画像情報表示装置の更に他の例を示すブロック線図である。
【図８】図７の画像情報表示装置のパーソナルコンピュータのハードディスクの記録内容を示す図である。
【符号の説明】
ＤＣＭ１、ＤＣＭ２…デジタルカメラ、ＨＢ…ハブ、ＰＣ…パーソナルコンピュータ、ＭＮ…画像モニタ、Ｍ１、Ｍ２…メモリカード、ＨＤ…ハードディスク。
【図１】
2004120278.tif 000003
【図２】
2004120278.tif 000004
【図３】
2004120278.tif 000005
【図４】
2004120278.tif 000006
【図５】
2004120278.tif 000007
【図６】
2004120278.tif 000008
【図７】
2004120278.tif 000009
【図８】
2004120278.tif 000010